(57)【要約】      （修正有）【課題】墓の省スペース化を実現すると共に、今後考えられる様々な使用形態にフレキシブルに対応可能な墓を提供する。【解決手段】墓構造１０は、戒名等の情報が表示される墓碑部１１０、前記墓碑部を着脱可能な状態で載置する墓碑載置部１２０を有する墓石１００と、納骨部２００とを含み、前記納骨部２００は、内部に、遺骨を納めるための納骨用スペースが形成され、前記納骨部２００の両側壁２１０によって、墓石１００が支持されることを特徴とする。【選択図】図１
0003178377.tif 000002
【実用新案登録請求の範囲】
【請求項１】
墓石と、納骨部とを含む墓構造であって、
前記墓石は、
戒名等の情報が表示される墓碑部と、
前記墓碑部を着脱可能な状態で載置する墓碑載置部とを備え、
前記納骨部は、内部に、遺骨を納めるための納骨用スペースが形成され、
前記納骨部の少なくとも両側壁によって、前記墓石が支持されることを特徴とする墓構造。
【請求項２】
前記墓碑部は、前記墓碑載置部側に向かって延びる突出部を有し、
前記墓碑載置部は、前記突出部と接触して、前記墓碑部の下方への落下を阻止する落下阻止部を有する請求項１に記載の墓構造。
【請求項３】
さらに、花、香炉等の供物を設置する供物設置部が、前記納骨部の前方の領域に連結される請求項１又は２に記載の墓構造。
【請求項４】
前記供物設置部は、納骨部から分離可能な状態で連結され、
前記供物等設置部を分離させた後のスペースから、納骨部内部に遺骨を納めることが可能な構造である請求項３に記載の墓構造。
【請求項５】
前記供物等設置部は、上方に生花を配設するための生花配設部と、下方に香炉を置くための香炉載置部とを含む請求項３又は４に記載の墓構造。
【請求項６】
請求項１から５のいずれか一項に記載の墓構造が隣接配置して構成される一般墓群と、納骨堂と、合祀墓とを備えることを特徴とする墓地の構造。
【考案の詳細な説明】
【技術分野】
【０００１】
本考案は、墓石と納骨部とを含む墓構造に関する。
【背景技術】
【０００２】
核家族化、人口の都市集中、少子高齢化等、現代日本における社会構造及び日本人の生活様式の変化に起因して、都市部の墓地・霊園（以下、「墓地等」という。）に対する需要が高まっている。また、近年、その傾向に拍車がかかっている。
【０００３】
しかしながら、都市部では、墓地等として利用できる土地が限られており、墓地区画の更なる需要に対して供給が追い付かない状況が生じている。そのような状況に鑑み、墓の構造等に工夫を凝らし、その小型化・省スペース化を図り、墓地敷地内に多くの墓地区画を設ける、あるいは、墓地区画の永代使用権を購入することで半永久的に使用可能であった一般墓に関し、使用期限を設け、期限到来後、そこに納められた遺骨を合祀墓など別の場所に移し、次の購入者に墓の使用の権利を譲り渡す等の方法によって、墓地敷地の有効活用が図られている。
【０００４】
墓の小型化・省スペース化を図ることを目的とした技術として、下記特許文献１から３に記載の技術が開示されている。特許文献１に記載の技術は、墓の識別を可能とする墓識別部を有する個々の墓が、奥に向かって段々状に配置される立体式墓地に関するものである。墓地の参拝者の通路は、最前列の墓の前方に設けられるのみであるが、後列の墓が段々状に配列されることから、参拝者は、前記通路からであっても、参拝対象の墓を認識し、お参りすることができる。よって、特許文献１の技術によれば、少ない面積で、多くの墓を設けることが可能となる。
【０００５】
また、特許文献２に記載の技術は、墓石の下台に設けられる納骨室の前面に供物台を設置し、その供物台正面に取外式の納骨蓋を取り付けた墓石に関するもので、供物台に、花立及び蝋燭立てを一体化することで、コンパクトな墓石を提供することができる。さらに、特許文献３に記載の技術は、蝋燭、線香、ひしゃく及びほうき等を収納可能な収納室を備えるお墓に関するもので、この収納室が設けられることで、墓地区画の限られたスペースを有効に活用することが可能なお墓を提供する。
【先行技術文献】
【特許文献】
【０００６】
【特許文献１】特開２００１−１１５６８６号公報
【特許文献２】特開２００８−１４４３８８号公報
【特許文献３】実用新案登録第３１４４６４９号公報
【考案の概要】
【考案が解決しようとする課題】
【０００７】
しかしながら、特許文献１に記載の技術は、最前列にのみ、参拝者通行用の通路が設けられるため、最前列の墓よりも奥側に位置する墓への参拝者は、目的とする墓のすぐ前方まで立ち入ることができない。従って、最前列よりも後列に配設される墓に参拝する場合、前方や隣にある他の墓が邪魔となり、スムーズに線香や花のお供えをすることが難しいという課題がある。
【０００８】
また、特許文献２及び３に記載の技術に係るお墓は、戒名等が表示される墓石部分については、従前一般的に用いられた使用期限のない一般墓に係るものである。そのため、上述のような、期限付きの墓として使用することは難しく、墓地敷地の有効活用という観点から想定される墓の使用形態に即したものとなりづらいという課題を有する。
【０００９】
上記課題に鑑み、本考案は、墓石、納骨部等の構造・配置を工夫して、墓の省スペース化を実現すると共に、今後考えられる様々な墓の使用形態にフレキシブルに対応可能（例えば、期限の有無に関わらず使用可能な一般墓として対応可能）な墓を提供することを目的とする。
【課題を解決するための手段】
【００１０】
前記課題を解決するための本考案に係る墓構造は、
墓石と、納骨部とを含み、
前記墓石は、
戒名等の情報が表示される墓碑部と、
前記墓碑部を着脱可能な状態で載置する墓碑載置部とを備え、
前記納骨部は、内部に、遺骨を納めるための納骨用スペースが形成され、
前記納骨部の少なくとも両側壁によって、前記墓石が支持されることを特徴とする。
【００１１】
また、前記墓碑部は、前記墓碑載置部側に向かって延びる突出部を有し、
前記墓碑載置部は、前記突出部と接触して、前記墓碑部の下方への落下を阻止する落下阻止部を有することが好ましい。
【００１２】
さらに、花、香炉等の供物を設置する供物設置部が、前記納骨部の前方の領域に連結されることが好ましく、前記供物等設置部を分離させた後のスペースから、納骨部内部に遺骨を納めることが可能な構造であることが好ましい。さらに、前記供物等設置部は、上方に生花を配設するための生花配設部と、下方に香炉を置くための香炉載置部とを含むことが好ましい。
【考案の効果】
【００１３】
本考案によれば、納骨部の上に墓石が載置されるため、墓全体の省スペース化を図ることが可能である。さらに、墓石は、墓碑部と、それを着脱可能な状態で載置する墓碑載置部とを含む構成とすることで、使用期限なしの一般墓として使用可能であることはもちろん、墓碑部を交換あるいは裏返す等の方法によって、期限付きの一般墓としても使用可能である。そのため、墓地敷地の有効活用に資する墓を提供することができる。
【図面の簡単な説明】
【００１４】
【図１】本実施形態に係る墓石の斜視図。
【図２】本実施形態に係る墓石の側面図。
【図３】図１に示す墓石のＡ方向からの矢視図。
【図４】本実施形態に係る複数の墓構造を配置させた墓地の構造を示す図。
【考案を実施するための形態】
【００１５】
以下、図面を参照して本考案の望ましい実施形態を詳細に説明する。但し、本考案は多くの異なる態様で実施することが可能であり、以下に示す実施の形態の記載内容に限定して解釈されるものではない。
【００１６】
まず、図１から図３を参照して、本考案に係る一実施形態について説明する。図１は、本考案に係る実施形態の斜視図である。また、図２は、墓石の側面図で、後述する墓碑部の取り外し前後の様子を示す図である。また、図３は、図１に示す墓石のＡ方向からの矢視図である。図１に示すように、本実施形態に係る墓構造１０は、墓石１００、納骨部２００、供物設置部３００等を備える構成である。
【００１７】
墓石１００は、墓碑部１１０、墓碑載置部１２０、上台１３０、下台１４０等を含む。墓碑部１１０の表面には、戒名等の情報が表示される。また、墓碑部１１０は、墓碑載置部１２０に、取り外し可能な状態で載置される（図２参照）。
【００１８】
ここで、図１及び図２に示すように、墓碑部１１０の上方側の縁１１１には、前記墓碑載置部１２０側に向かって延びる突出部１１２が設けられる。また、墓碑載置部１２０には、前記突出部１１２が接触して、墓碑部１１０の下方への落下を阻止するための落下阻止部１２１が設けられる。突出部１１２及び落下阻止部１２１を設けることで、別途固定手段を施すことなく簡易な手法で、墓碑載置部１２０によって、墓碑部１１０を落下させずに載置させることができる。
【００１９】
このように、墓碑部１１０は、墓碑載置部１２０に固定されずに、係止された状態となっている。そのため、墓碑部１１０は、墓碑載置部１２０から容易に着脱可能な状態となっている。従って、本実施形態に係る墓構造１０を、使用期限付きの一般墓として提供する場合、墓碑部１１０を取り外して、新使用者のものと交換する等の簡易な作業によって、墓の引渡しを行うことができる。それにより、墓地敷地の有効活用を図ることができる。
【００２０】
なお、本実施形態では、図１に示すように、墓碑部１１０及び墓碑載置部１２０の形状は、プレート状としているが、これに限られるものではない。
【００２１】
図３（ａ）に示すように、本実施形態では、墓碑部１１０に設けられた突出部１１２を幅全体に渡って形成するような形態としているが、これに限られるものではなく、図３（ｂ）のように、突出部１１２の幅が、墓碑部１１０の幅の一部に相当するようなものであってもよい。この場合、墓碑載置部１２０に設けられる落下阻止部１２１の幅も、突出部１１２の幅に合わせた寸法とするのが好ましい。
【００２２】
納骨部２００は、両側壁２１０、後壁２２０等を含む構成である。また、納骨部２００の内部は空洞となっており、遺骨を納めるためのスペースが形成されている。なお、図１に示すように、より多くの遺骨を納めるため、地下埋設用の納骨室２３０を納骨部２００の下方に設けるようにしても良い。
【００２３】
本実施形態では、納骨部２００の側壁２１０及び後壁２２０によって、前記墓石１００を支持する構造としている。このような構造とすることで、墓全体の幅寸法を狭めることができ、墓の省スペース化を図ることができる。
【００２４】
供物設置部３００は、縦柱３１０を挟んで、その上方に生花を配設するための生花配設部３２０が、下方に香炉を置くための香炉載置部３３０が、それぞれ設けられる。また、供物設置部３００は、前記納骨部２００の前方領域に連結されて配設される。
【００２５】
このように、上下方向に、生花配設部３２０及び香炉載置部３３０を配置する供物設置部３００を有することで、墓全体の奥行き及び幅（間口部分）を少なくすることができ、結果、墓の省スペース化を図ることができる。
【００２６】
また、供物設置部３００は、納骨部２００から分離可能な状態で連結されていても良い。供物設置部３００が納骨部２００の前方壁としての役割を果たす構成とすれば、供物設置部３００の分離後、納骨部２００の前方領域が開放状態となり、そこから納骨部２００の納骨スペースに遺骨を納めることができる。そうすることで、納骨部２００に遺骨を納める際、供物載置部３００を分離させるだけの簡易な作業を行えばよく、納骨に係る作業の負担軽減を図ることが可能となる。
【００２７】
さらに、供物設置部３００を納骨部２００から分離可能な状態とすることで、墓使用者の好みに応じて、供物設置部３００の代わりに別の部材を配置する等の対応が可能となり、墓使用者毎に異なるニーズに細かく応えることが可能な墓を提供することができる。
【００２８】
なお、本実施形態では、縦柱３１０を介して、生花配設部３２０と、香炉載置部３３０とが、一体化されているが、これに限られるものではなく、各々を分離可能な状態としてもよい。
【００２９】
次に、図４は、上記の墓構造１０が配置される墓地の構造４００を示す図である。図４の４１０が、本実施形態に係る複数の墓構造１０が隣接配置される一般墓群である。また、４２０は、墓地運営者等に預けられた遺骨を保管するための納骨堂である。さらに、納骨堂４２０及びその前方領域Ｇの地下に、血縁関係のない他人（家）の遺骨が合同で納骨される合祀墓が設けられる。本実施形態の墓構造１０は、納骨堂・合祀墓とともに配置されることを想定して、その形状に関して、納骨堂・合祀墓との統一感のあるデザインが施されている。そのため、これらを集合配置することで、集合墓としての一体性を持たせることが可能である。
【符号の説明】
【００３０】
１０        墓構造
１００      墓石
１１０      墓碑部
１２０      墓碑載置部
１３０      上台
１４０      下台
２００      納骨部
２１０      納骨部の側壁
２２０      納骨部の後壁
３００      供物設置部
３２０      生花配設部
３３０      香炉配設部
４００      墓地構造
４１０      一般墓群
４２０      納骨堂
【図１】
0003178377.tif 000003
【図２】
0003178377.tif 000004
【図３】
0003178377.tif 000005
【図４】
0003178377.tif 000006